(57)【要約】      （修正有）【課題】波エネルギーを利用した発電の安定化と出力向上を図る。【解決手段】海中から海面上に複数の側壁２を立ち上げ、その間は波の通路であり水面の上下の動きを大きくするために通路を狭くし一端に基点軸６を持ち、その先端に船形状の浮体７の付いたアーム５設置、浮体７は水面の上下の動きに従い運動を繰り返す、アーム５の中ほどにはコイルスプリングからなる複合チエーン取り付け用の軸８がアームに通されている、軸８の左右に接続された複合チエーン９は片口歯車１０を経て垂れ下がり、先端に重り１１を付けている、複合チエーン９は寄せ波による片口歯車の衝撃を防ぎ、片口歯車を回すことが出来る、アーム５の先端の浮体７が波と共に動くことによりアーム５の中ほどに軸８に接続された複合チエーン９は、はずみ車１２が接続されている片口歯車１０を回転させながら往復運動する、はずみ車１２は変速用ローラー１３を回し、発電機２２を回転させる。【選択図】図２
2011074909.tif 000002
【特許請求の範囲】
【請求項１】
海中から海面上に複数の側壁を立ち上げ、その間は波の通路であり、その通路の中ほどで通路の幅を狭くすることにより、寄せ波、引き波は更に海面を上下に大きく変化を繰り返しながら波が行き来する、その波の通路に一端に基点軸を持ち、その先端に船形状の浮体の付いたアームを設置しアームの先端は浮体とともに、寄せ波引き波に逆らうことなく大きく上下運動を繰り返す、アームの中ほどには、複合チエーン取り付け用の軸がアームの側面から挿し通され、その軸の左右には複合チエーンが取り付けられ、チエーンは片口歯車を経て垂れ下がり先端には複合チエーンの一定の張りを保つための重りがつけられている、アームの先端が浮体と共に波にさからうことなく大きく上下に動くことにより、アームの中ほどの軸につけられた複合チエーンは、はずみ車が接続された片口歯車を回転させながら往復運動を繰り返す。
はずみ車は回転力を保持しながら接続された変速用ローラーを回し、いくつかの変速ローラーを経て発電に必要な回転力で発電する。
本発明は、このような波エネルギー発電システムを特徴とする。
【請求項２】
請求項１のような発電システムを船体の一部に装備することにより、航行の推進力を補うことが出来る。
【発明の詳細な説明】
【技術分野】
【０００１】  本発明は、寄せ波引き波がもつ無限でクリーンなエネルギーを最大限に生かした発電システムに関するものである。
【背景の技術】
【０００２】  従来の波エネルギーによる発電を更に安定と出力を高めるために、多くの研究者達が日夜を問わず効率化はもとより安定した発電の向上を目指して更なる研究に励んでいるのが現状である。
【発明の開始】
【発明が解決しようとする課題】
【０００３】  上記に述べた従来の発電の現状を踏まえ、より安定した波力発電による電気が提供できることを課題とする。
【問題を解決するための手段】
【０００４】  この問題を解決するための請求項の１の発明は、海中から海面上に立ち上げた複数の側壁をつくり、その間は波の通路であり寄せ波引き波は絶え間なく行き来を繰り返している。
【０００５】  複数の側壁は途中で幅を狭くすることにより寄せ波は水面を上下にさらに大きく変えて狭められた側壁の間を絶え間なく行き来する。
【０００６】  その間に、一端に基点軸を持ち、その先端に船形状の浮体の付いたアームを設置アームの先端の浮体は水面の上下の動きに逆らうことなく運動を絶え間なく繰り返す。
【０００７】  アームの中ほどに複合チエーン取り付け用の軸をアームの側面から挿し通し左右に出た軸に片口歯車に強烈な寄せ波の過剰な衝撃を防ぐコイルスプリングからなる複合チエーンが取り付けられ、チエーンは片口歯車を経て垂らし、その先端にチエーンの張りを一定に安定させるための重りが用いられている。
【０００８】  海面が上下に動くことにより、アーム中ほどの軸に接続されたコイルスプリングからなる複合チエーンは片口歯車を回しながら往復運動繰り返す。
【０００９】  片口歯車に接続された、はずみ車は安定した回転力を保持しながら、変速ローラーを回し、いくつかの変速ローラーの段階を経て回転調整を行い発電に必要な調整された回転力で発電する。
【００１０】  寄せ波が少し時差のある位置に、この発電システムを設置し出力を合わせることにより更に安定した電気を提供できる。
【００１１】  また、請求項２の発明は、この発電システムを船体に装備し発電し航行の推進力を補い航行させることが出来る。
【発明の効果】
【００１２】  本発明により、従来の波力発電出力向上に多くの研究者達が絶え間ない研究に励んでいるが、波力発電が他の技術開発に比べスローペースで進んでいるのも事実である、本発明は従来の波力発電システムと、まったく異なったシステムをもとに研究と工夫を繰り返しながら、安定した波力発電と出力アップを可能にした。
【発明を実施するための最良の形態】
【００１３】  以下、本発明の実施形態を図１〜図２を基に説明する。【００１４】  図において１は、自然の強烈な波の衝撃を受ける側壁２を支える基礎１であり複合側壁２の間は波の通路３であり、途中で波の通路３を狭くすることにより波の上下の動きをより大きくする通路４であり、上部には床５があり発電用の複数の機械が設置されている。【００１５】  その通路４にアーム５の一端に基点軸６を用い先端には船形状の浮体７をつけたアーム５を設置し、浮体７は寄せ波引き波による海面の上下の動きに逆らう事なく運動を繰り返さす。【００１６】  アーム５の中ほどには、コイルスプリングからなる複合チエーン取り付け用の軸８がアーム５の側面から挿し通され、軸８の左右には複合チエーン９が取り付けられチエーン９は片口歯車１０を経て垂れ下がり端部にはチエーン９の一定の張りを保つための重り１１がつけられている。【００１７】  海面が上下に動くことにより浮体と共にアーム５が軸６を基点として上下運動を繰り返しアーム５の中ほどにつけられた複合チエーン９は片口歯車１０を回転させながら往復運動を繰り返し片口歯車１０に接続された、はずみ車１２は安定した回転力を保持し、はずみ車に接続された変速ローラー１３を回し、いくつかの変速ローラー１３の段階を経て回転調整を行い。【００１８】  発電に必要な調整された回転力で発電機２２を回転させ発電する。【００１９】  以上のように、本発明は、従来の波力発電システムとはまったく異なったシステムの基に絶え間ない工夫と研究を繰り返しながら無限でクリーンな波エネルギーから最大限の出力と安定した発電が出来るようにした。
【図面の簡単な説明】
【００２０】
【図１】  平面図。
【図２】  Ａ−Ａ面から見た側面図。
【図３】  Ｂ−Ｂ面から見た側面図。
【図４】  Ｃ−Ｃ面から見た側面図。
【符号の説明】
【００２１】１側壁の基礎  ２複数の側壁  ３波の通路  ４狭くした波の通路  ５アーム  ６アームの基点軸  ７船形状の浮体  ８複合チエーン取り付けようの軸  ９複合チエーン  １０片口歯車  １１重り  １２はずみ車  １３変速用ローラー  １４床  １５側壁の繋ぎ梁  １６強烈な高波防止壁  １７機械台  １８アームの横ぶれ防止壁  １９アームの摩擦防止ローラー  ２０干潮時の浮体の動き  ２１満潮時の浮体の動き  ２２発電機  ２３コイルスプリング  ２４回転軸  ２５変転用ローラー
【図１】
2011074909.tif 000003
【図２】
2011074909.tif 000004
【図３】
2011074909.tif 000005
【図４】
2011074909.tif 000006